(57)【要約】【課題】  ＩＣタグの保護機能を有するとともに、着脱の容易性を考慮したＩＣタグの着脱可能取付構造を提供する。【解決手段】  本発明は、ＩＣタグ１を対象物に着脱可能に取り付けするＩＣタグの取付構造であって、（１）拡大した平面な頭部１１を有し脚部外周面にねじ溝１０ｎを有するねじ型外形からなり、当該ねじ型外形の頭部１１に平面状のＩＣタグ１が、頭頂部１１ｔ平面に平行に挿入されているＩＣタグ収納体１０と、（２）前記ＩＣタグ収納体１０のねじ型外形をねじ結合して収める受け型部２１を有する略円板状体であって、その側面外周にねじ溝２０ｎが形成された略円柱状のＩＣタグ固定用構造体２０と、からなり、前記ＩＣタグ固定用構造体２０を当該ねじ溝により対象物３０にねじ結合して固定することを特徴とする。ＩＣタグ固定用構造体２０は先端が鋭角な錐体状のものとしてもよい。【選択図】    図１
2007241781.tif 000002
【特許請求の範囲】
【請求項１】
ＩＣタグを対象物に着脱可能に取り付けするＩＣタグの取付構造であって、
（１）拡大した平面な頭部を有し脚部外周面にねじ溝を有するねじ型外形からなり、当該ねじ型外形の頭部に平面状のＩＣタグが、頭頂部平面に平行に挿入されているＩＣタグ収納体と、（２）前記ＩＣタグ収納体のねじ型外形をねじ結合して収める受け型部を有する略円板状体であって、その側面外周にねじ溝が形成されたＩＣタグ固定用構造体と、
からなり、前記ＩＣタグ固定用構造体を当該ねじ溝により対象物にねじ結合して固定することを特徴とするＩＣタグの着脱可能取付構造。
【請求項２】
ＩＣタグを対象物に着脱可能に取り付けするＩＣタグの取付構造であって、
（１）拡大した平面な頭部を有し脚部外周面にねじ溝を有するねじ型外形からなり、当該ねじ型外形の頭部に平面状のＩＣタグが、頭頂部平面に平行に挿入されているＩＣタグ収納体と、（２）前記ＩＣタグ収納体のねじ型外形をねじ結合して収める受け型部を有する略逆円錐状または逆角錐状体であって、その脚部に、くぎ又はくさび状の鋭角な先端部を有するＩＣタグ固定用構造体と、からなり、前記ＩＣタグ固定用構造体の当該くぎ又はくさび状の鋭角な先端部により対象物に打ち込みして固定することを特徴とするＩＣタグの着脱可能取付構造。
【請求項３】
ＩＣタグを対象物に着脱可能に取り付けするＩＣタグの取付構造であって、
（１）拡大した平面な頭部を有し脚部外周面にねじ溝を有するねじ型外形からなり、当該ねじ型外形の頭部に平面状のＩＣタグが、頭頂部平面に平行に挿入されているＩＣタグ収納体と、（２）前記ＩＣタグ収納体のねじ型外形をねじ結合して収める受け型部を有する略円板状または角形板状体であって、その底面に複数のスパイクを有するＩＣタグ固定用構造体と、からなり、前記ＩＣタグ固定用構造体の当該複数のスパイクにより対象物に打ち込みして固定することを特徴とするＩＣタグの着脱可能取付構造。
【請求項４】
ＩＣタグ収容体のＩＣタグ収容部が、３気圧の加圧防水性能を有することを特徴とする請求項１ないし請求項３のいずれか１の請求項記載のＩＣタグの着脱可能取付構造。
【請求項５】
ＩＣタグ収容体がプラスチックの成形体であって、ＩＣタグがインサート成形により挿入されていることを特徴とする請求項１ないし請求項３のいずれか１の請求項記載のＩＣタグの着脱可能取付構造。
【請求項６】
ＩＣタグ収容体の頭頂部平面に、ドライバー用溝が形成されていることを特徴とする請求項１ないし請求項３のいずれか１の請求項記載のＩＣタグの着脱可能取付構造。
【請求項７】
ＩＣタグ収容体の頭頂部周囲が、４乃至６角形の多角形に成形されていることを特徴とする請求項１ないし請求項３のいずれか１の請求項記載のＩＣタグの着脱可能取付構造。
【請求項８】
ＩＣタグ固定用構造体がプラスチック、金属、ガラスまたはセラミック製であることを特徴とする請求項１ないし請求項３のいずれか１の請求項記載のＩＣタグの着脱可能取付構造。
【発明の詳細な説明】
【技術分野】
【０００１】
本発明は、非接触ＩＣタグを対象物に着脱可能に取り付けするＩＣタグの取付構造に関する。
【背景技術】
【０００２】
非接触ＩＣタグは、ＲＦＩＤ（Radio Frequency Identification) とも称され、個体の識別が可能な情報を保持するＩＣチップを備え、この情報を無線通信によって非接触で読み取りできるようにされている。このようなＩＣタグは、例えば、運送や流通、工場工程管理、荷物の取り扱い、施設の管理等の分野で利用される。
【０００３】
非接触ＩＣタグを、取付対象物に取り付けして使用する場合、通常は粘着剤等により貼着することが行われる。紐で吊るしたり、ゴム輪で固定することも行われる。また例えば、特許文献１のように、コンクリートに穴を掘って埋め込みする方法も行われる。
しかし、取付対象物がパレット等の物流資材、道路、建造物、木造構築物、等である場合、長期間の使用に耐えるように固定的に取り付けするのには困難が伴う。道路面等に直接貼着するのでは、耐久性が不足であるしＩＣタグも損傷し易い。頻繁な破損の都度、取り付け交換するのも煩わしい問題がある。パレット等の物流資材も、フォークリフト等により搬送されるので、慎重な扱いを期待することはできない。非接触ＩＣタグ自体が破損した際、またはシステム変更等した際は容易に交換する方法が求められる。
【０００４】
そこで本発明は、ＩＣタグが損傷を受け易い使用現場においてもＩＣタグの保護機能を有し、かつ簡単に着脱できる構造を考究するものである。
当該技術に直接関連する先行技術を検出できないが、ＩＣタグ取り付けをねじ構造（ボルト等）により行うことを記載するものに特許文献２がある。しかし、同文献１の図３、図５等に記載の無線用ＩＣタグは、ボルトの頭部等にＩＣタグを封止剤で封止した構造であって、ＩＣタグ固定用構造体の中にさらに、ＩＣタグ収容体をねじ込みする構成の本願のＩＣタグの着脱可能取付構造とは相違している。
【０００５】
【特許文献１】特開２００５−２７３１９４号公報
【特許文献２】特開２００６−０３９９９１号公報
【発明の開示】
【発明が解決しようとする課題】
【０００６】
道路面やパレット等の物流資材、木造建造物等にＩＣタグを着脱可能に取り付けする構造は、特別に提案されたものがない。そのため、従来からこれら対象物への取り付けは、手間と時間がかかることから敬遠され、ＩＣタグの一層の利用促進の妨げとなっていた。  そこで、本願はＩＣタグの慎重な取り扱いがされない使用現場においても、損傷したＩＣタグの頻繁な取り付け交換をも迅速に行うことができる、ＩＣタグの着脱可能取付構造を研究して、本発明の完成に至ったものである。
【課題を解決するための手段】
【０００７】
上記課題を解決する本発明の要旨の第１は、ＩＣタグを対象物に着脱可能に取り付けするＩＣタグの取付構造であって、（１）拡大した平面な頭部を有し脚部外周面にねじ溝を有するねじ型外形からなり、当該ねじ型外形の頭部に平面状のＩＣタグが、頭頂部平面に平行に挿入されているＩＣタグ収納体と、（２）前記ＩＣタグ収納体のねじ型外形をねじ結合して収める受け型部を有する略円板状体であって、その側面外周にねじ溝が形成されたＩＣタグ固定用構造体と、からなり、前記ＩＣタグ固定用構造体を当該ねじ溝により対象物にねじ結合して固定することを特徴とするＩＣタグの着脱可能取付構造、にある。
【０００８】
上記課題を解決する本発明の要旨の第２は、ＩＣタグを対象物に着脱可能に取り付けするＩＣタグの取付構造であって、（１）拡大した平面な頭部を有し脚部外周面にねじ溝を有するねじ型外形からなり、当該ねじ型外形の頭部に平面状のＩＣタグが、頭頂部平面に平行に挿入されているＩＣタグ収納体と、（２）前記ＩＣタグ収納体のねじ型外形をねじ結合して収める受け型部を有する略逆円錐状または逆角錐状体であって、その脚部に、くぎ又はくさび状の鋭角な先端部を有するＩＣタグ固定用構造体と、からなり、前記ＩＣタグ固定用構造体の当該くぎ又はくさび状の鋭角な先端部により対象物に打ち込みして固定することを特徴とするＩＣタグの着脱可能取付構造、にある。
【０００９】
上記課題を解決する本発明の要旨の第３は、ＩＣタグを対象物に着脱可能に取り付けするＩＣタグの取付構造であって、（１）拡大した平面な頭部を有し脚部外周面にねじ溝を有するねじ型外形からなり、当該ねじ型外形の頭部に平面状のＩＣタグが、頭頂部平面に平行に挿入されているＩＣタグ収納体と、（２）前記ＩＣタグ収納体のねじ型外形をねじ結合して収める受け型部を有する略円板状または角形板状体であって、その底面に複数のスパイクを有するＩＣタグ固定用構造体と、からなり、前記ＩＣタグ固定用構造体の当該複数のスパイクにより対象物に打ち込みして固定することを特徴とするＩＣタグの着脱可能取付構造、にある。
【００１０】
上記において、ＩＣタグ収容体のＩＣタグ収容部が、３気圧の加圧防水性能を有すれば、水浸環境でも使用することができる。また、ＩＣタグ収容体がプラスチックの成形体であって、ＩＣタグがインサート成形により挿入されていれば、耐水性を高くできる。
さらに、ＩＣタグ収容体の頭頂部平面にドライバー用溝が形成されていれば、ドライバーによりＩＣタグ収容体を着脱でき、その頭頂部周囲が４乃至６角形の多角形に成形されていれば、ボックススパナ等でＩＣタグ収容体を着脱できる。
【００１１】
上記において、ＩＣタグ固定用構造体がプラスチック、金属、ガラスまたはセラミック製であれば、耐久性の高いものにできる。
【発明の効果】
【００１２】
本発明のＩＣタグの着脱可能取付構造では、ＩＣタグが挿入されたＩＣタグ収納体が、ねじ型外形の脚部外周面にねじ溝を有し、ＩＣタグ固定用構造体の受け型部に、ねじ結合できるので、ＩＣタグの頻繁な交換に際しても簡単に着脱できる。
本発明のＩＣタグの着脱可能取付構造（請求項１）では、ＩＣタグ固定用構造体が略円板状体からなり、その側面外周にねじ溝が形成されているので、当該固定用構造体を、まず対象物にねじ結合して固定した後、ＩＣタグ収納体を受け型部に嵌め込みしてＩＣタグを装着できる。
【００１３】
本発明のＩＣタグの着脱可能取付構造（請求項２）では、ＩＣタグ固定用構造体が略逆円錐状体または逆角錐状体からなり、その脚部に、くぎ又はくさび状の鋭角な先端部を有するので、当該固定用構造体の先端部を、まず対象物に打ち込みして固定した後、ＩＣタグ収納体を受け型部に嵌め込みしてＩＣタグを装着できる。
本発明のＩＣタグの着脱可能取付構造（請求項３）では、ＩＣタグ固定用構造体が略円板状または角形板状体からなり、その底面に複数のスパイクを有するので、当該固定用構造体のスパイクを、まず対象物に打ち込みして固定した後、ＩＣタグ収納体を受け型部に嵌め込みしてＩＣタグを装着できる。
【発明を実施するための最良の形態】
【００１４】
本発明は、非接触ＩＣタグを着脱交換して使用する場面において、ＩＣタグの保護機能を有するとともに、着脱の容易性が考慮され、かつ読み取り書き込み自体も自在にするＩＣタグの着脱可能取付構造に関する。
【００１５】
以下、図面を参照して本発明の実施形態をさらに詳しく説明する。
図１は、本発明のＩＣタグの着脱可能取付構造の第１実施形態を示す断面図、図２は、同第２実施形態を示す断面図、図３は、同第３実施形態を示す断面図、図４は、非接触ＩＣタグの形態を示す図、図５は、収容体の表面形状を示す図、である。
ただし、本発明は、図示する実施形態に限定されるものではない。
【００１６】
図１は、第１実施形態を示す断面図であって、図１（Ａ）は収納体、図１（Ｂ）はＩＣタグ固定用構造体、図１（Ｃ）は収納体を固定用構造体に嵌め込みした状態を示す。
図１（Ａ）のように、収納体１０は、拡大した平面な頭部１１を有し、頭部１１を除く脚部１２の外周面には、ねじ溝１０ｎを有し全体の形状がねじ型外形からなっている。
当該ねじ型外形の頭部１１部分には、頭頂部１１ｔ平面に平行になるように、非接触ＩＣタグ１が挿入されている。したがって、ＩＣタグ１自体も平面状のものを使用する。
挿入方法はインサート成形によるのが加圧防水性能を高くでき、強度も高くできる。この場合、ＩＣタグが破損した場合はインサート成形体自体を交換する。強度は低下するが、収納体１０に差し込み口（不図示）を設けて、ＩＣタグ１を当該差し込み口から挿入する方法であってもよい。外圧がかからない場合は、差し込み方法でも十分である。
【００１７】
図１（Ｂ）のように、ＩＣタグ固定用構造体２０は略円板状体になっていて、ねじ型外形の収納体１０を納める受け型部２１を有している。受け型部２１は内周側面にねじ溝２１ｎを有し、収納体１０をねじ結合して嵌め込みするようにされている。また、ＩＣタグ固定用構造体２０の側面外周にも、ねじ溝２０ｎを有し、装着する対象物のねじ溝に、ねじ結合するようにされている。
【００１８】
図１（Ｃ）は収納体１０を、固定用構造体２０の受け型部２１に嵌め込みした状態である。固定用構造体２０のさらに外側は道路面等の取付対象物３０である。
収納体１０は、その頭頂部平面１０ｔが固定用構造体２０の頭頂部２０ｔと、ほぼ均一な平面になるように嵌め込みされる。非接触ＩＣタグ１が平面状のものであって、ＩＣタグ固定用構造体２０の表面から、リーダライタと交信するので、固定用構造体２０が金属からなる場合は、ＩＣタグ１のアンテナに、あまり（１０ｍｍ程度以内に）接近しないことが好ましい。金属により電磁波が吸収され、アンテナ性能が低下するからである。
【００１９】
ＩＣタグ固定用構造体２０が、側面外周にねじ溝２０ｎを有するので、その全体形状は円板状形態になり易い。ただし、高さＨを制限するものではなく、道路等であって深く埋設することが制限されない場合は、高さＨを大きくした方が安定する。ＩＣタグ固定用構造体２０を略円板状体と表現するのは、このように目的によって深く埋め込みする場合は、円柱状となる場合もあるからである。
【００２０】
収納体１０を固定用構造体２０の受け型部２１に嵌め込みした状態で、緩みが生じず、強固に結合した状態を維持するのが好ましい。したがって、図示してないが、ピン装置やビス止め等により両者間を固定することも好ましい。図１の場合、収納体１０の頭頂部１１ｔにドライバー用溝１３が設けられており、収納体１０を取り出す場合は、当該ドライバー用溝１３によりねじ結合を解除して取り出しする。
【００２１】
取付対象物３０にも、ねじ溝があっても良いが、道路等のアスフォルト面は特別にねじ溝を形成しなくても、ねじ溝形状に沿った形状が形成され、時間を経過しなければ、固定用構造体２０を取り出してから、再度、ねじ結合することが可能である。通常は、収納体１０のみを取り出して、新しいＩＣタグ収納体１０に交換することで目的を達成するので、固定用構造体２０自体を取り出す必要はあまり生じない。
取付対象物３０には、未硬化状態の水平なセメント面も含まれる。この場合は、セメント中に埋設した後、完全に硬化する直前に固定用構造体２０のねじ結合を解いて、取り出す操作を行えば、取付対象物３０に、ねじ溝を転写することもできる。
【００２２】
図２は、第２実施形態を示す断面図であって、図２（Ａ）は収納体、図２（Ｂ）はＩＣタグ固定用構造体、図２（Ｃ）は収納体を固定用構造体に嵌め込みした状態を示す。
収納体１０自体は、第１実施形態と同一であって、拡大した平面な頭部１１を有し、頭部１１を除く下半部の脚部１２の外周面には、ねじ溝１０ｎを有し、全体の形状がねじ型外形からなっている。ねじ型外形の頭部１１部分には、頭頂部１１ｔ平面に平行になるように、非接触ＩＣタグ１が挿入されているのも同一である。
【００２３】
第２実施形態の特徴は、固定用構造体２０が略逆円錐状または逆角錐状体であって、くぎ又はくさび状の鋭角な先端部２５を有していることにある。固定用構造体２０を略逆円錐状または逆角錐状体と表現するのは、外表面側が円形または四角形等であって大きな面積を有し、埋め込みする脚側が細くなっていればよいからである。鋭角な先端部２５は平くさび状でも良いので、見る方向によっては先端が錐状になっていない場合もある。
第２実施形態の場合は、固定用構造体２０の頭頂部２０ｔをハンマーや木槌等で叩き、当該鋭角な先端部２５により、取付対象物３０に打ち込みする。取付対象物３０が木材や土面、道路面であって傷が付いても構わない場合には、当該形状を使用し易い。ＩＣタグ固定用構造体２０は、ハンマー等で叩くことになるので、金属（鉄、鋼鉄、ステンレス、真鍮等）や強靱なセラミック等の材質からなることが好ましい。
前記のように、未硬化状態の水平なセメント面に埋設してもよい。
【００２４】
図２（Ｃ）において、固定用構造体２０と収納体１０の間に、隙間１９があるのはボックススパナ等を挿入するためである。すなわち、図２の収納体１０はドライバー用溝１３を持たず、ねじ型外形の頭部１１部分の平面視外形は４乃至６角形の多角型に成形されている。従って、当該角形部分の形状に一致するボックススパナをあてがって回転し、収納体１０を着脱できるようにされている。
【００２５】
図３は、第３実施形態を示す断面図であって、図３（Ａ）は収納体、図３（Ｂ）はＩＣタグ固定用構造体、図３（Ｃ）は収納体を固定用構造体に嵌め込みした状態を示す。
収納体１０自体は、第１実施形態と同一であって、拡大した平面な頭部１１を有し、頭部１１を除く下半部の脚部側面外周には、ねじ溝１０ｎを有し、全体の形状がねじ型外形からなっている。ねじ型外形の頭部１１部分には、頭頂部１１ｔ平面に平行になるように、非接触ＩＣタグ１が挿入されているのも同一である。
【００２６】
第３実施形態の特徴は、固定用構造体２０が略円板状または角形板状体になっていて、底面２６に複数のスパイク２７を有することにある。ただし、受け型部２１は、第１実施形態、第２実施形態と同様に平面視円形に形成する。第３実施形態の場合も固定用構造体の基体２０の頭頂部２０ｔをハンマーや木槌等で叩き、当該複数のスパイク２７により、対象物３０に打ち込みするものである。ただし、第２実施形態のように対象物３０に深く埋め込みする必要はないので、対象物３０をあまり傷付けしない利点がある。
複数のスパイク２７は、固定用構造体２０の底面外周に沿って、３〜１０個取り付けすれば十分である。第３実施形態で、固定用構造体２０を略円板状または角形板状体と表現するのは、対象物３０の平面に対して構造体２０が直角に屹立しないよう、截頭円錐状体等にする場合もあるからである。
【００２７】
第３実施形態の場合の取付対象物３０は、木材製品や木造構築物、樹木等となる。アスファルト等の道路面にも装着できるが、スパイク２７から上側の固定用構造体２０部分は、路面から突出することになるので、車両等の走行域に使用するのは困難である。
第２実施形態の場合よりも浅く打ち込みするので、装着や取り外しが容易な利点はある。第３実施形態の場合も、固定用構造体２０の頭頂部２０ｔををハンマー等で叩くことになるので、やはり金属（鉄、鋼鉄、ステンレス、真鍮等）や強靱なセラミック等の材質からなることが好ましい。
【００２８】
このように対象物に装着されたＩＣタグ１は、例えば、道路面に装着した場合は、車両に道路案内等の情報を提供することができ、また、歩行者に道案内や観光案内をすることもできる。交通量調査にも便利である。屋外の木造構築物や看板、杭等に打ち込みして、公園や山岳コースの案内、あるいは広告宣伝等に使用することもできる。
また、パレット等の物流資材では、パレット間の衝突や積載物やフォークリフトのフォーク等との接触が頻繁に生じＩＣタグも破損し易いが、破損してもＩＣタグ収納体１０を交換すればよく、交換に手間を要しないという利便性があるものである。
【００２９】
本発明のＩＣタグの着脱可能取付構造は、ＩＣタグ収納体１０のＩＣタグ収容部が、常温（２５°Ｃ）で、３気圧の耐水圧試験に耐えることが好ましい。水中２０メートルで使用すれば、３気圧の圧力を受けることになる。そのような使用方法は通常は想定できないが、ＩＣタグ１の着脱可能取付構造が水溜まりの路面に装着され、その上を車両が通過する場合には、３気圧以上の圧力を受けることになる。その場合には、ＩＣタグ１部分に水が浸入する危険性が大きいからである。屋外に装着した場合にも、雨天の強風時にはかなりの圧力を受けることになる。非接触ＩＣタグ１は、表裏面がプラスチックフィルムからなるので、水が浸入しても直ちに機能を失うことはないが、水浸状態で長期間使用すれば表裏フィルム間が剥離して、アンテナが短絡することも考えられる。
【００３０】
耐水圧試験は、防水時計の規格（ＪＩＳＢ７０２１−１９８９）の加圧防水性試験に準じて、ＩＣタグ収納体１０単体について、水中加圧で、３気圧、５分間の加圧防水試験を行い、取り出した非接触ＩＣタグ１に水滴の付着がないことを視覚で確認することにより行うことができる。
【００３１】
上記加圧防水性試験の結果、ＩＣタグ収納体１０のインサート成形品では、一般に上記試験により浸水は生じないことが認められた。ただし、ＩＣタグ収納体１０に非接触ＩＣタグ１を差し込みする挿入口を設けて差し込みする場合は、試作の範囲では、どのような機密構造にしても、上記試験に耐えるものは得られなかった。
【００３２】
図４は、非接触ＩＣタグ１の形態を示す図である。非接触ＩＣタグ１は、例えば１３．５６ＭＨｚの周波数帯域を用いた電磁誘導方式のものであり、図４（Ｂ）に示すように、全体的にカード状に形成され、インレット１Ａ、表裏の保護フィルム４を備えている。
インレット１Ａは、図４（Ａ）のように、インレット基材５、アンテナ２、ＩＣチップ３を備えている。インレット基材５は、例えば、ポリエチレンテレフタレート（ＰＥＴ）等の樹脂材料を用いて上方から見た平面形状が、略長方形であるシート状に形成されている。なお、インレット１Ａとは、表裏の保護フィルム４間の挿入体をいうが、非接触ＩＣタグ１では、基材５のアンテナ２にＩＣチップ３を装着した、シート状態のものを意味する。
【００３３】
アンテナ２は、インレット基材５の一方の面部の外周縁部に渦巻状に形成されたコイル状アンテナである。このアンテナ２は、例えば、銅やアルミなどのエッチング加工により、あるいは導電性を有するインクを使用した印刷によって形成される。
ＩＣチップ３は、インレット基材５のアンテナ２が形成された面部の、アンテナ２の両端部が近接するように形成された両端子に装着されている。表面側保護フィルム４には、図４（Ｂ）のように、ＩＣタグ１の識別を可能にするバーコード６による固有番号等の情報を保持していてもよいが、必須ではない。図４（Ｃ）は、ＩＣタグ１が収納体１０にインサート成形で埋め込まれた状態を示している。埋め込みの他に各種の挿入方法を採用してもよい。図４では、コイル状アンテナ２のＩＣタグ１が図示されているが、ＵＨＦ帯用のダイポールアンテナであってもよいものである。
【００３４】
収納体１０は、透光性を有しているのが好ましい。本明細書において「透光性」を有するとは、光を通過させる機能を有するという意味である。この収納体１０は、いわゆる透明樹脂成形体であって略透明になっているのが好ましい。ＩＣタグ１を取り付けした状態において、通常の照明条件下で、外部からＩＣタグ１表面の表示等を視認できるようにされているのが好ましいからである。
【００３５】
図５は、収納体の表面形状を示す図である。収納体１０の表面には、マイナスやプラスのドライバで取り外し易いように、小型の収納体１０では「＋」（Ａ）、または「−」形状（Ｂ）のドライバー用溝１３を有している。着脱用の器具と嵌合する２個乃至４個の凹孔１４を形成するのも好ましい。（Ｃ）の場合は、４個の凹孔１４であるが、２個（Ｄ）でも同様である。収納体１０の頭部１１は、直径５０ｍｍ程度以上になるので、市販のドライバーとは異なる特製の大型器具が必要となる。また前記のように、収納体１０の頭部の形状を、四角形（Ｅ）にしたり、六角形（Ｆ）にすることもできる。この場合も、特大のボックススパナ等を用いることになる。
【００３６】
＜固定用構造体の製造方法と材質について＞
固定用構造体２０は各種の方法で製造できる。熱可塑性樹脂のポリスチレン、ポリプロピレン、ポリエチレン、液晶ポリマー、ＡＢＳ樹脂により射出成形してもよく、熱硬化性樹脂を成形型を用いて成形するものでもよい。ｐ−ヒドロキシ安息香酸とＰＥＴからなる液晶ポリエステル（ＬＣＰ）、ｐ−ヒドロキシ安息香酸とテレフタル酸、４，４’−ジヒドロキシビフェニルからなるＬＣＰ（液晶ポリマー）等も耐熱性、耐久性の高い材料として好ましく使用できる。磁器等のセラミックを焼成して成形するものでもよい。
ガラスによる成形品は透明性が得られ意匠性の優れたものにできるが、耐久性が要求される用途には不向きである。重歩行面や車道に用いるような高度の耐久性が必要な場合は、金属材料（鉄、鋼鉄、ステンレス、真鍮等）を用いて研削し、あるいはプレス成形し、鋳型によりまたはダイカスト成形して製造することができる。
【００３７】
＜収納体の製造方法と材質について＞
収納体１０は、例えば、透明なポリプロピレン樹脂を使用した射出成形によって、ねじ型外形に形成した成形品である。ＩＣタグ１をインサート成形により密閉状態に収容する場合は、例えば、３気圧の防水性能を備えさせられる。ねじ溝も同時に成形できる。
ただし、ポリプロピレン樹脂に限らず、他の樹脂、例えば、ポリスチレン、ポリエチレン、ポリカーボネート、塩化ビニル、アクリル系樹脂等も使用できる。ポリエステル等の熱硬化性樹脂または常温硬化性樹脂により成形したものでもよい。
なお、非接触ＩＣタグの汎用樹脂に対するインサート成型については、例えば特開２００２−３５５８４７号公報に記載されている。
【実施例】
【００３８】
非接触ＩＣタグ１として、周波数１３．５６ＭＨｚの電磁誘導方式のものであって、矩形状のアンテナコイルの外形が、４５ｍｍ×７６ｍｍのものを使用した。インレット基材は、厚み５０μｍのＰＥＴフィルムであり、アンテナ２にＩＣチップ３を装着した後、その表裏をさらに、厚み２８μｍのＰＥＴフィルムでラミネートしたものを使用した。この非接触ＩＣタグ１を、以下のようにインサート成形して使用した。
【００３９】
収納体１０を透光性を有する透明なポリプロピレン樹脂を使用し、射出成形により製造した。収容体１０は、ＩＣタグ１が挿入される頭部１１の直径が１１０ｍｍの円板状となるようにし、頭部１１の厚みｄが３０ｍｍになるようにした。ねじ溝１０ｎの形成される脚部１２は、直径が７０ｍｍ、長さは４０ｍｍとなるようにした。
なお、非接触ＩＣタグ１は頭頂部１１ｔから１５ｍｍの位置に頭頂部１１ｔ平面と平行平面になるようにインサート成形した（図１参照）。このものは、前記加圧防水性試験を満足するものであった。
【００４０】
固定用構造体２０も透明なポリプロピレン樹脂を使用し射出成形により製造した。受け型部２１は、上記収容体１０を納める大きさとし、周囲にねじ溝２１を設けた。
固定用構造体２０の外形は、直径１５０ｍｍの円板状となるようにし、外周囲にねじ溝２０ｎを形成した。高さＨは、１００ｍｍとなるようにした。
【００４１】
上記収納体１０を固定用構造体２０の受け型部２１にねじ込みしてから、アスファルト面と平面になるように埋設した。このＩＣタグ着脱可能取付構造の外表面からＩＣタグリーダライタにより読み取りして、支障なく読み取り書き込みできることが確認できた。
【図面の簡単な説明】
【００４２】
【図１】本発明のＩＣタグの着脱可能取付構造の第１実施形態を示す図である。
【図２】同第２実施形態を示す図である。
【図３】同第３実施形態を示す図である。
【図４】非接触ＩＣタグの形態を示す図である。
【図５】収容体の表面形状を示す図である。
【符号の説明】
【００４３】
１    非接触ＩＣタグ
２    アンテナ
３    ＩＣチップ
４    保護フィルム
５    インレット基材
１０    収納体
１１    頭部
１２    脚部
１３    ドライバー用溝
２０    ＩＣタグ固定用構造体
２１    受け型部
２５    先端部
２６    底面
２７    スパイク
３０    対象物
【図１】
2007241781.tif 000003
【図２】
2007241781.tif 000004
【図３】
2007241781.tif 000005
【図４】
2007241781.tif 000006
【図５】
2007241781.tif 000007